(57)【特許請求の範囲】
【請求項１】
首の負担を軽減するための姿勢補助具であって、伸縮性のあるチューブ状の本体は、背中の中心を通過し、肘から手の間に掛けて装着する、モバイル操作時に腕の高さを維持するための姿勢補助具。
【発明の詳細な説明】
【技術分野】
【０００１】
本発明は、首の負担を軽減する姿勢補助具に関する。
【背景技術】
【０００２】
従来の腕の補助具は、肩などの痛みを回避する又は固定するため腕を支える事を目的とした、腕が体に沿うものであった。肩の痛みから解放される腕吊り補助バンドとして公開済みのものもある（特許文献１参照）。
【先行技術文献】
【特許文献】
【０００３】
【特許文献１】特開２０１４−０９４２６０号公報
【発明の概要】
【発明が解決しようとする課題】
【０００４】
モバイル操作時に、首の負担を軽減する姿勢補助具が市場に流通していなかった（特許文献１参照）。
【０００５】
本発明は、首の負担を軽減し、首周りの不調を予防することを目的とするものである。
【課題を解決するための手段】
【０００６】
本発明は上記目的を達成するために、首の負担を軽減するための姿勢補助具であって、伸縮性のあるはチューブ状の本体は、モバイル操作時に腕の高さをより高く維持するための姿勢補助具である。前記チューブ状の本体は、肩に斜め掛けして、モバイルを持った手の上腕と前腕の角度を９０度より鋭角に曲げ、体の正面前方へ突き出した状態で、前記肩の側の前腕、肘から手の間に通し、掛けて装着する。前記チューブ状の本体に姿勢を委ねられるので、腕を高く保持するのが楽になり、首の曲がる角度が浅くなることで首への負担が軽減できる。前記チューブ状の本体の中に空気を入れることで、首をストレッチする際のクッションになり、保温材を入れて使用すると、首周りの血行を促し不調の予防や改善も期待できる姿勢補助具である。
【発明の効果】
【０００７】
上述したように本発明の姿勢補助具は、肩に斜め掛けして、脇の下を通っていない側のチューブ状の本体を、前腕の使い易い位置に掛けて装着し、自在に移動することもできる。モバイルを指で操作することも容易にでき、一定の距離で見ることができる。伸縮性があり体のサイズに合わせて利用でき、チューブ状の本体に姿勢を委ねられるので、腕を高く保持するのが楽になり、首の曲がる角度が浅くなることで首への負担が軽減できる。チューブ状の本体の空洞に空気を入れて首の周りに掛けて、頭を支えられるある程度の弾力を持たせると、クッションとして首周りのストレッチもできるという利便性を発揮するものである。また、本体がチューブ状のため、中の空間に保冷、保温材を入れて体を冷却、保温することもできる特徴を有する。
【図面の簡単な説明】
【０００８】
【図１】本発明の姿勢補助具の実施例形態を示す斜視図。
【図２】本発明の姿勢補助具を装着した際の実施例形態を示す正面図。
【図３】本発明の姿勢補助具を装着した際の実施例形態を示す側面図。
【図４】本発明の姿勢補助具を装着した際の実施例形態を示す平面図。
【発明を実施するための形態】
【０００９】
以下、本発明の実施形態を図１〜図４に基づいて説明する。
図１は、チューブ状の本体１の両端を結んだ実施例形態を示す斜視図である。チューブ状の本体１は例えばゴムのように伸縮性、柔軟性のあるもので、中は空洞になっている。伸縮性があるので、体の大きさによってサイズが変わり、両端を結ぶような形状（長さ調節結束部３）にするとよりサイズ調節が容易になる。チューブ状の本体１の空洞に空気を入れて、頭を支えられるある程度の弾力を持たせると首周りのストレッチもできる。チューブ状の本体１に保冷材又は保温材を入れて使う場合は、空気を入れることで保冷（保温）材２の断熱性を保持する効果もある。チューブ状の本体１の厚みによって、例えば冷やしても硬化しない保冷材に冷却効果の長い保冷材を合わせて入れるなど、保冷材の工夫をするとより保冷持続時間が長くなる。
【００１０】
図２は、チューブ状の本体１を装着した際の実施例形態を示す正面図である。モバイルを手に持って、上腕と前腕の角度を９０度より鋭角に曲げ、体の正面前方へ突き出した状態で、前腕の肘より先の位置に手をかけた際のチューブ状の本体１の装着位置を示している。チューブ状の本体１が、背中を通り、モバイルを持つ手の側は肩の上を、持たない側は脇の下を通っている。チューブ状の本体１にその状態を委ねられるので、腕を高く保持するので楽になり、首の曲がる角度が浅くなるので首への負担が軽減できる。チューブ状の本体１が背中の中心を通過するため、肩から首周辺が曲がった姿勢になるのを防ぎ姿勢を整える一助にもなる。モバイルを見る距離は、腕を掛けた状態で一定の距離が保てるので、画面を近くで見過ぎることを防ぐ。チューブ状の本体１の空洞に空気を入れて、頭を支えられるある程度の弾力を持たせると首周りのストレッチもできて、首周りの不調の改善も期待できる。
【００１１】
図３は、チューブ状の本体１を装着した際の実施例形態を示す側面図である。モバイルを手に持って、上腕と前腕の角度を９０度より鋭角に曲げ、体の正面前方へ突き出した状態で、前腕の肘より先の位置に手をかけた際のチューブ状の本体１の装着位置を示している。チューブ状の本体１が、背中を通り、モバイルを持つ手の側は肩の上を、持たない側は脇の下を通っている。チューブ状の本体１にその状態を委ねられるので、腕を高く保持するので楽になり、首の曲がる角度が浅くなるので首への負担が軽減できる。モバイルを見る距離は、腕を掛けた状態で一定の距離が保てるので、画面を近くで見過ぎることを防ぐ。手を掛けるチューブ状の本体１部分に、クッション性の高い弾性体をはめ込むなど工夫すると、位置がより高くなる。
【００１２】
図４は、チューブ状の本体１を装着した際の実施例形態を示す平面図である。モバイルを手に持って、上腕と前腕の角度を９０度より鋭角に曲げ、体の正面前方へ突き出した状態で、前腕の肘より先の位置に手をかけた際のチューブ状の本体１の装着位置を示している。チューブ状の本体１が、背中を通り、モバイルを持つ手の側は肩の上を、持たない側は脇の下を通っている。モバイルを見る距離は、腕を掛けた状態で一定の距離が保てるので、画面を近くで見過ぎることを防ぐ。また、チューブ状の本体１が背中の中心を通過するため、肩から首周辺が曲がった姿勢になるのを防ぎ姿勢を整える一助にもなる。
【００１３】
保冷（保温）材２を入れて使う場合、チューブ状の本体１に空気をいれて膨らませると、保冷材又は保温材の断熱性を保持する効果もある。また、空気を入れることである程度の弾力を持たせると首周りのストレッチもできる。全体を覆うカバーを付けると、更に断熱性が向上し、その仕様により好みの物へ替えられてデザイン性も向上する。チューブ状の本体１とモバイルにつけたストラップを繋げ落下を防止したり、モバイルをカバーの中へ一時保管したり工夫次第で利便性も更に向上する。スポーツ観戦など、長時間外で座る時に利用するとその利便性を発揮する。
モバイル操作時の姿勢補助具に追随した利便性として、中の空洞に保冷材を入れた際は、首周りや脇の下を冷やす熱中症対策として、保温材を入れた際は、首周りを温めて寒さ対策、血行促進をするという使い方もできる。チューブ状の本体１の装着位置、形状は、前記実施例形態に限定されるものではなく、より有効な使い方で種々変形させることが可能であり、それらを本発明から排除するものではない。
【００１４】
このように、本発明は、モバイルを長時間使用する際の首の負担を軽減し、首周りの不調を予防することを目的とするものであり、チューブ状の本体１に姿勢を委ねられるので、腕を高く保持することが楽になり、首の曲がる角度が浅くなるので首への負担が軽減できる。チューブ状の本体１の空洞に空気を入れて、首周りのストレッチもできるという利便性を発揮するものである。また、本体がチューブ状のため、中の空間に保冷（保温）材２を入れて体を冷却、保温することもできる特徴を有する。また、モバイル自体の重みを手で支えているので、腕の疲れにより長時間の使用を避けることも予想され、目の疲れやスマホ老眼などの予防の一助になる事も期待できる。
【符号の説明】
【００１５】
１  チューブ状の本体１
２  保冷（保温）材
３  長さ調節結束部
【図１】
0006895498.tif 000002
【図２】
0006895498.tif 000003
【図３】
0006895498.tif 000004
【図４】
0006895498.tif 000005